(57)【要約】      （修正有）【課題】夜間時や車道走行時に、自転車の左右後方と共に右側方からも認識されやすく、小型軽量で長期に使用できる安全な表示器を提供する。【解決手段】既存の自転車発電機を電源とし、ＬＥＤとＬＥＤに直列接続した電流制限用抵抗により構成された表示器ユニット６を、自転車の右後方の車輪とともに回転しない部位８に固定し、発光させると同時に、地面に光を照射させることによって側方や後方に自転車の存在を示す。小型軽量で発電機を有する全ての自転車に装着可能となる。【選択図】図３
0003193492.tif 000002
【実用新案登録請求の範囲】
【請求項１】
自転車の発電機の電力の一部を使用する電池交換が不要な表示器。
【請求項２】
前記表示器は、ＬＥＤと抵抗により構成され、自転車のハンドルと車輪を除く部位に固定し、点滅や常時点灯で自光あるいは地面照射あるいは自光と地面照射の両方を行うことにより、自転車の側方や側後方あるいは後方から確認できる請求項１記載の表示器。
【考案の詳細な説明】
【技術分野】
【０００１】  本考案は、自転車の安全装置に関するものである。
【背景技術】
【０００２】  警察庁の自転車安全利用五則（平成１９年７月１０日交通対策本部決定より）により自転車は、車道が原則、歩道は例外と位置づけられている。道路交通法が改正により、軽車両として本来通行すべき車道を走ることの義務が明確に強調された。しかし、自転車が車道を走行する場合、特に夜間に走行する場合は自動車からの確認が難しく危険が多い。現在は全ての自転車の後部には赤色の後方反射板をつけることが義務づけられている。
【考案の概要】
【考案が解決しようとする課題】
【０００３】  車道を走行する自転車の後方より自動車等が近づく場合、自転車の真後ろからは後方反射板が役立つが、自転車の右後方から近づいた場合、後方反射板が確認が難しいことが挙げられる。後方反射板は、立体的な反射構造をしており、自転車の右後方からでも左後方でも反射可能であるが、その認識はきわめて難しい。また、自動車の左側方を自転車が平行走行する場合においては、前照灯も後方反射板も全く役に立たない。
【課題を解決するための手段】
【０００４】  自転車の発電機の電力の一部を利用した表示器を自転車の右後方部に備える。すなわち本考案は以下の通りである。
１．自転車の発電機の電力の一部を使用する電池交換が不要の表示器。
２．前記表示器は、ＬＥＤと抵抗により構成され、自転車のハンドルと車輪を除く部分に固定することにより、点滅や常時点灯で自光あるいは地面照射あるいは自光と地面照射の両方を行い、自転車の側方や側後方あるいは後方から確認の容易な１．記載の表示器。
【考案の効果】
【０００５】  本考案は、自転車走行において側方や後方から存在が明確になる。時に車道左側走行時の右後方から自動車が近づくときや自転車と自動車の併走時において特に効果が期待される。表示器が点灯や点滅の自光するほか、地面照射も行うため、表示器がない場合と比べると効果は計り知れない。また、自転車の発電機の電力の一部を使用するが発電能力の７パーセント以下であり、前照灯の機能や明るさに影響を与えない。従って発電機を備える全ての自転車に装備が可能である。自転車の安全走行に大いに効果が期待できる。
【図面の簡単な説明】
【０００６】
【図１】表示器回路図
【図２】表示器取り付け具例
【図３】自転車取り付け部
【考案を実施するための形態】
【０００７】  以下、本考案を実施形態に従って説明する。
図１に表示器の回路を示す。自転車の発電機の電源を使用して抵抗で電流制限を行いダイオードに約３０ミリアンペアの電流を流す。これをプラスチック容器に入れ、ダイオードの発光部には反射板を取り付け、熱溶融形接着剤で充填する。
【０００８】  図２に表示器を取り付け具に固定した例を示す。固定する場所により取り付け具は様々考えられるが、ハンドル以外の本体において、側方から側後方から後方から確認できる位置にダイオードから照射される光が自転車側後方の地面に照射されるよう固定する。
【０００９】  図３に取り付け部の一例を示す。目的からすれば自転車右後方のリアキャリアのステイが最適であるが、小型軽量であり、いずれの位置にも取り付けが可能である。ダイオードは赤色の光を放つ他、高輝度で自転車側後方地面にも赤色の光が照射される。
【００１０】  本考案は、自動車等の前方を走る自転車の認識がより確実になる他、自転車を追い越した自動車の後続自動車が自転車を早期認識するためにも役立つ。また自転車と自動車の併走時に左サイドミラー等に自転車の表示器の光が映るため、自転車の認識がより確実になる。また、表示器は、スイッチ等により点灯と消灯の切り替えを可能にすることにより、車道走行時のみ点灯させることも可能である。小型・軽量で安価に製造が可能なため発電機付き自転車の全てに装備可能である。
【符号の説明】
【００１１】１  ダイオード、２  抵抗、３  プラスチック容器、４  反射板、５  熱溶融形接着剤、６  表示器、７  表示器取り付け具、８  自転車取り付け部、９  取り付け状態
【図１】
0003193492.tif 000003
【図２】
0003193492.tif 000004
【図３】
0003193492.tif 000005
【手続補正書】
【提出日】平成26年7月17日(2014.7.17)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤと前記ＬＥＤに直列接続した電流制限用抵抗により構成される表示器ユニットを自転車の右後方の車輪とともに回転しない部位に備え付け、表示器ユニット自体が自光すると同時に前記表示器ユニットから地面に光が照射される自転車表示器。
【請求項２】
前記表示器ユニットはダイナモと呼ばれる自転車発電機の電力の一部を使用し駆動する請求項１に記載の自転車表示器。
【手続補正２】
【補正対象書類名】明細書
【補正対象項目名】全文
【補正方法】変更
【補正の内容】
【考案の詳細な説明】
【技術分野】
【０００１】  本考案は、自転車の安全装置に関するものである。
【背景技術】
【０００２】  警察庁の自転車安全利用五則（平成１９年７月１０日交通対策本部決定より）により自転車は、車道が原則、歩道は例外と位置づけられている。道路交通法が改正により、軽車両として本来通行すべき車道を走ることの義務が明確に強調された。しかし、自転車が車道を走行する場合、特に夜間に走行する場合は自動車からの確認が難しく危険が多い。現在は全ての自転車の後部には赤色の後方反射板をつけることが義務づけられている。
【考案の概要】
【考案が解決しようとする課題】
【０００３】  車道を走行する自転車の後方より自動車等が近づく場合、自転車の真後ろからは後方反射板が役立つが、自転車の右後方から近づいた場合、後方反射板が確認が難しいことが挙げられる。後方反射板は、立体的な反射構造をしており、自転車の右後方からでも左後方でも反射可能であるが、その認識はきわめて難しい。また、自動車の左側方を自転車が平行走行する場合においては、前照灯も後方反射板も全く役に立たない。
【課題を解決するための手段】
【０００４】  自転車の発電機の電力の一部を利用した表示器を自転車の右後方部に備える。すなわち本考案は以下の通りである。
１．ＬＥＤと前記ＬＥＤに直列接続した電流制限用抵抗により構成される表示器ユニットを自転車の右後方の車輪とともに回転しない部位に備え付け、表示器ユニット自体が自光すると同時に前記表示器ユニットから地面に光が照射される自転車表示器。
２．前記表示器ユニットはダイナモと呼ばれる自転車発電機の電力の一部を使用し駆動する１．記載の自転車表示器。
【考案の効果】
【０００５】  本考案は、自転車走行において側方や後方から存在が明確になる。時に車道左側走行時の右後方から自動車が近づくときや自転車と自動車の併走時において特に効果が期待される。表示器が点灯や点滅の自光するほか、地面照射も行うため、表示器がない場合と比べると効果は計り知れない。また、自転車の発電機の電力の一部を使用するが発電能力の７パーセント以下であり、前照灯の機能や明るさに影響を与えない。従って発電機を備える全ての自転車に装備が可能である。自転車の安全走行に大いに効果が期待できる。
【図面の簡単な説明】
【０００６】
【図１】表示器ユニット回路図
【図２】表示器ユニット取り付け具例
【図３】表示器ユニット取り付け部
【考案を実施するための形態】
【０００７】  以下、本考案を実施形態に従って説明する。
図１に表示器ユニットの回路を示す。ダイナモと呼ばれる自転車の発電機の電源を使用して抵抗で電流制限を行い、ダイオードに約３０ミリアンペアの電流を流す。これをプラスチック容器に入れ、ダイオードの発光部には必要に応じ反射板を取り付け、熱溶融形接着剤で充填する。
【０００８】  図２に表示器ユニットを取り付け具に固定した例を示す。固定する場所により取り付け具は様々考えられるが、ハンドル以外の本体において、側方から側後方から後方から確認可能な位置にダイオードから照射される光が自転車側後方の地面に照射されるよう固定する。
【０００９】  図３に表示器ユニット取り付け部の一例を示す。側方から側後方から後方から確認される為には自転車右後方のリアキャリアのステイが最適であるが、小型軽量であり、いずれの位置にも取り付けが可能である。ダイオードは赤色の光を放つ他、高輝度で自転車側後方地面にも赤色の光が照射される。色は赤色の他ＬＥＤの各色に選定することが可能である。
【００１０】  本考案は、自動車等の前方を走る自転車の認識がより確実になる他、自転車を追い越した自動車の後続自動車が自転車を早期認識するためにも役立つ。また自転車と自動車の併走時に左サイドミラー等に自転車の表示器の光が映るため、自転車の認識がより確実になる。また、表示器は、スイッチ等により点灯と消灯の切り替えを可能にすることにより、車道走行時のみ点灯させることも可能である。小型・軽量で安価に製造が可能なため発電機付き自転車の全てに装備可能である。
【符号の説明】
【００１１】１  ダイオード、２  抵抗、３  プラスチック容器、４  反射板、５  熱溶融形接着剤、６  表示器ユニット、７  表示器ユニット取り付け具、８  表示器ユニット取り付け部、９  表示器ユニット取り付け状態